(57)【要約】【課題】電線並びにケーブルの敷設時電線用保護管の固定と配線種別の分類と保護とが簡単にできる事である。【解決手段】固定部１Ａは平状で筒状に巻いた巻き部１Ｂと一体で筒形状とし、固定部１Ａ外側に接着剤２塗布し保護シール３で保護した電線用保護管１、この筒形状をした電線用保護管１の内部に収納空間４を有し、柔軟性を有する素材を用いる事で長尺の電線用保護管１が製作でき収納空間４に任意の挿入部分５を開き電線又はケーブル６を収納、収納空間４に収まれば挿入部分５は元の巻き部１Ｂにもどる事と、電線用保護管１を色分けする事で配線種別ごとに分類できる事と、電線用保護管１を固定するには保護シール３を剥ぎとり接着固定ができる事と、を特徴とする電線用保護管。【選択図】図１
2013233063.tif 000002
【特許請求の範囲】
【請求項１】
固定部は平状で筒状に巻いた巻き部と一体で筒形状とし、固定部外側に接着剤塗布し保護シールで保護した電線用保護管、この筒形状をした電線用保護管は内部に収納空間を有し、柔軟性を有する素材を用いる事で収納空間に任意の挿入部分から電線又はケーブル等を挿入できる事と、色分けする事で配線種別ごとに分類できる事と、電線用保護管を固定するには保護シールを剥ぎとり接着固定できる事と、を特徴とする電線用保護管。
【発明の詳細な説明】
【技術分野】
【０００１】
本発明は、建物等に電線用保護管を取り付ける場合垂直或いは水平でも接着固定でき、接着固定後は電線若しくはケーブルをどの位置からでも任意に電線用保護管内に入れる事ができる電線用保護管に関するものである。
【背景技術】
【０００２】
従来の電線用保護管に電線又はケーブルを挿入するには管の口元からの挿入で、配管の距離が長い場合は予備線を入れ、挿入する線類を予備線に絡めて引っ張るのと挿入との互いに意気を合わせ協力し入線作業が大変であった。
【０００３】
電線用保護管は主に金属管と樹脂管とに大別でき、樹脂管には直管とフレーキシブル管があり、フレーキシブル管の中に縦割りにされたフレーキシブル管があり、従来の電線用保護管の固定方法は其々の大きさに合ったサドル等の固定資材を用いて止めていた。
【０００４】
最近、テレビ用同軸ケーブル、通信用ケーブル、直流専用などのケーブルは両端に接続器具が取り付けられた商品が多く市販され、これらのケーブルを保護するには従来のパイプでは入線できず電線用モールを使用する方法しか無かった。
【０００５】
近年の通信機器の発展によりケーブルの種類も多くなり、機器類の配線も複雑になり整理するのも大変苦労する状況で、簡単に配線種類別に整理ができて安全が確保できる事も重要な課題である。
【０００６】
この改善策として、電線用保護管を色分けしておく事で配線の種類別に分ける事ができ、電線並びにケーブルが整理でき、配線距離の長い場合でも電線用保護管設置並びに入線作業を行うのに少人数で出来る効率の良い電線用保護管を提供することである。
図１は電線用保護管の本体詳細の説明図で、固定部１Ａは平状で筒状に巻いた巻き部１Ｂと一体で筒形状とし、固定部１Ａ外側に接着剤２塗布し保護シール３で保護した電線用保護管１、この筒形状をなした電線用保護管１の内部に収納空間４ができ、柔軟性を有する素材を用いることで固定部１Ａと巻き部１Ｂと接する挿入部分５は任意の位置で開ける事ができこの部分からケーブル６を収納空間４に収める事ができ、ケーブル６を収納すれば挿入部分５は元の巻き部１Ｂに戻る、この柔軟性を有する電線用保護管１自体は曲げる事ができる為全体を長尺の商品にでき敷設作業においてつなぎ部分の削減ができ接着固定も効率良く作業ができ人件費の削減につながる、電線用保護管１を色分けして製作する事により配線の種類別に充当でき配線の内容を目視する事も可能である。
図２は電線用保護管取り付け状況の説明図で、所定の場所に電線用保護管１の保護シール３を剥がして壁８に接着固定し、接続器具７が接続されているケーブル６を固定されている電線用保護管１の任意の挿入部５を開けてケーブル６を収納空間４に収めている状況を示している、電線用保護管１を取り付け作業するにもケーブル６を収納するにも少人数で作業ができる。
【先行技術文献】
【特許文献】
【０００７】
【特許文献１】特開２００５−２３９７８４号公報
【非特許文献】
【０００８】
【非特許文献１】未来工業株式会社製  電設資材総合カタログ２０１２−２０１３年
【発明の概要】
【発明が解決しようとする課題】
【０００９】
解決しようとする問題点は、電線、ケーブルなどの敷設工事を行う場合、電線用保護管の色分けによって配線種類の選別が容易にできる事と、任意の挿入部分からケーブル等の入線ができ、配管本体以外に固定資材とかの付属品を削減できる事と、接着固定により敷設作業時間の削減が重要な要素である。
【課題を解決するための手段】
【００１０】
本発明は、電線用保護管自体製造の段階で着色し色分けでき、電線用保護管本体固定部外側に接着剤が塗布されているので固定作業が素早くでき、電線、ケーブルを入線する場合任意の挿入部分から素早く収納空間に収納でき、柔軟性の素材で製作されているので曲げる事もできる為長尺に作る事が可能の為、付属品が削減できる事と労務作業の削減が最も主要な特徴とする。
【発明の効果】
【００１１】
本発明は、特別な技術も必要とせず簡単に電線用保護管の取り付け並びに電線、ケーブルの入線ができる事と、長尺で製作できるのでつなぎ部分の削減と固定資材の削減ができ、電線用保護管の色分けで配線種別が目視で確認できる利点がある。
【図面の簡単な説明】
【００１２】
【図１】図１は電線用保護管の本体詳細の説明図である。     （実施例１）
【図２】図２は電線用保護管の取り付け状況の説明図である。 （実施例２）
【発明を実施するための形態】
【００１３】
電線用保護管は、柔軟性の素材を用いて製作され曲げる事ができるので長尺商品ができ、取り付け場所によって曲げながら接着固定でき、且つ着色し色分けができ通信用とか弱電用とか使用する内容に合わせて区別する事もできる。
【実施例１】
【００１４】
図１は、本発明の１実施例で電線用保護管の本体詳細の説明図で、固定部１Ａは平状で筒状に巻いた巻き部１Ｂと一体で筒形状とし、この筒形状をなした電線用保護管１は内部に収納空間４を有し、柔軟性を有する素材を用いる事で収納空間４に任意の挿入部分５から電線又はケーブル６を挿入でき、前記の素材に色素を加える事で電線用保護管１を色分けする事ができ、直流２４Ｖ、直流１２Ｖ、テレビの同軸ケーブル、通信用のＬＡＮケーブル、等と配線種別ごとに電線用保護管１を色分けする事により目視で判断が可能となる、固定部１Ａ外側に接着剤２を塗布し保護シール３で保護、固定には保護シール３を剥ぎとり接着固定できる、電線用保護管１は柔軟性を有するので長尺商品が可能となりつなぎ部分の付属品並びに固定に用いるサドル等の付属品の削減と労務費の削減に寄与できる。
【実施例２】
【００１５】
図２は、本発明の２実施例で電線用保護管取り付け状況の説明図で、固定部１Ａに張り付けてある保護シール３を剥がして壁８面に接着固定された電線用保護管１、柔軟性を有するため壁８面に沿わせて曲げる事ができる、両端に接続器具７が接続されているケーブル６は電線用保護管１の任意の挿入部分５を開きケーブル６を収納空間４に収め、収納空間４に収まれば挿入部分５は元の巻き部１Ｂの状態になる、この作業は少人数で行う事ができ労務費の削減に寄与できる。
【産業上の利用可能性】
【００１６】
コンピュータとか通信機器の広がりと、直流の機器も増加し直流２４Ｖ、直流１２Ｖ等様々なケーブルが多くなり、このケーブル類の整理と目視による確認がきる様にする事である。
【符号の説明】
【００１７】
１      電線用保護管
１Ａ    固定部
１Ｂ    巻き部
２      接着剤
３      保護シール
４      収納空間
５      挿入部分
６      ケーブル
７      接続器具
８      壁
【図１】
2013233063.tif 000003
【図２】
2013233063.tif 000004